(57)【要約】      （修正有）【課題】飲食物容器に飲食用具包装体を確実に固定するとともに、飲食物容器の蓋体に相対する方向から飲食物容器に飲食用具包装体が取り付けられたかを目視確認することができる飲食物容器用ラベルを提供する。【解決手段】飲食物容器用ラベル１０は飲食物容器貼着領域１２に塗布されている粘着剤によって飲食物容器６に貼着され、飲食用具包装体貼着領域１４に塗布されている粘着剤によって飲食用具包装体８に貼着されるので、飲食物容器６に飲食用具包装体８を確実に固定することができ、飲食物容器用ラベル１０の表面には、名称１６、原材料名１８、消費期限２２、製造者２４などの飲食物容器６に収納される飲食物に関連する情報を表示し、飲食物容器６の蓋体４に相対する方向から飲食物に関連する情報を確認できるとともに、飲食物容器６に飲食用具包装体８が取り付けられたかを目視確認できるようにした。【選択図】  図２
2006282214.tif 000002
【特許請求の範囲】
【請求項１】
飲食物を収納した容器本体を蓋体で閉じ合わせた飲食物容器と、前記飲食物を飲食するための飲食用具を収納して包装した飲食用具包装体と、を有し、
前記飲食用具包装体を部分的に前記飲食物容器へ固定するための飲食物容器用ラベルであって、
前記飲食物容器用ラベルは、前記飲食物容器に貼着される飲食物容器貼着領域と、前記飲食用具包装体に貼着される飲食用具包装体貼着領域と、に区分され、
前記飲食物容器貼着領域の表面には、名称、原材料名、消費期限、製造者などの前記飲食物に関連する情報を表示したことを特徴とする飲食物容器用ラベル。
【請求項２】
前記飲食用具包装体貼着領域を部分的に貫通する切断部を設けて、この飲食用具包装体貼着領域を分離し、前記飲食物容器から前記飲食用具包装体を取り外し可能としたことを特徴とする請求項１記載の飲食物容器用ラベル。
【請求項３】
前記飲食物容器貼着領域の裏面の一端部に非接着部を設けて、この非接着部を剥がし代として、前記飲食物容器から前記飲食物容器貼着領域を剥離し、前記飲食物容器から前記飲食用具包装体を取り外し可能としたことを特徴とする請求項１記載の飲食物容器用ラベル。
【発明の詳細な説明】
【技術分野】
【０００１】
本発明は、弁当や総菜などの飲食物を収納した飲食物容器に貼着される飲食物容器用ラベルに関し、特に、箸、スプーン、フォークなどの前記飲食物を飲食するための飲食用具を収納して包装した飲食用具包装体を、前記飲食物容器へ固定するための飲食物容器用ラベルに関する。
【背景技術】
【０００２】
従来、弁当や総菜などの飲食物を収納した飲食物容器には、箸、スプーン、フォークなどの前記飲食物を飲食するための飲食用具を収納して包装した飲食用具包装体が付属されている。このような飲食物容器に飲食用具包装体を付属させるには、飲食物容器の数量に応じて、販売時に飲食用具包装体を付属させる方法があるが、この方法では飲食用具包装体を入れ忘れたり、数量不足になってしまう場合がある。そのため、飲食物容器にあらかじめ飲食用具包装体を取り付けておく方法が多く用いられている。
【０００３】
図５は、従来の方法によって飲食物容器へ飲食用具包装体を取り付けた一例を示す図である。飲食物容器６は、たとえば弁当など飲食物を収納した容器本体２を蓋体４で閉じ合わせてなり、飲食物容器６の容器本体２の側壁面に飲食用具包装体８が固定用テープ５２によって取り付けられている。また、蓋体４の表出する面には、名称、原材料名、消費期限、製造者などの前記飲食物に関連する情報を表示した表示ラベル５０が貼着されている。
【０００４】
このように、容器本体２の側壁面に飲食用具包装体８を固定用テープ５２によって取り付ける方法では、蓋体４に相対する方向からでは、飲食用具包装体８が確実に飲食物容器６に取り付けられたかを目視確認することができないという問題があった。
【０００５】
また、蓋体４の表出する面に飲食用具包装体８を固定用テープ５２によって取り付けることによって、飲食用具包装体８の飲食物容器６への取り付けを目視確認できるようになるが、この固定用テープ５２を用いて飲食物容器６へ飲食用具包装体８を固定する方法では、固定用テープ５２として一般的には強接着性のテープが使用されているため、飲食用具包装体８を飲食物容器６から取り外すのが困難であり、容器本体２を転倒させてしまったりして取扱いが不便であるという問題があった。
【０００６】
図６は、従来の方法によって飲食物容器へ飲食用具包装体を取り付けたその他の例を示す図である。飲食物容器６は、たとえば弁当など飲食物を収納した容器本体２を蓋体４で閉じ合わせてなり、飲食物容器６の蓋体４の表出する面には表示ラベル５０が貼着されるとともに飲食用具包装体８が配置され紐体５４によって取り付けられている。
【０００７】
このように、紐体５４を用いて飲食物容器６へ飲食用具包装体８を取り付ける方法では、飲食用具包装体８を固定することができず、飲食用具包装体８が脱落しやすいという問題があった。
【０００８】
なお、上述した弁当などの飲食物を収納した飲食物容器６には、消費者が購入するときに飲食物の内容を理解し、適正に飲食物を選択するための情報源として、表示ラベル５０が貼着されている。
【０００９】
弁当などの飲食物は、購入時に構成原材料の内容を外部から確認して購入する飲食物であり、その商品の特性上、商品を裏返して表示内容を確認することが困難な食品であることから、飲食物容器６では蓋体４の表出する面に表示ラベル５０が貼着されており、飲食物容器６の蓋体４に相対する方向から表示ラベル５０に表示された情報を目視確認することができる。
【００１０】
この表示ラベル５０には表示すべき事項が決められており、たとえば、名称または品名として一般的に通用する名称が記載され、原材料名として原材料に占める重量の割合の多いものから順に記載され、消費期限として衛生上危害が無いと認められる期限が記載され、製造者として製造された食品に対する責任の所在として製造所の所在地と名称が記載されている。
【００１１】
なお、弁当などの食品を収納した容器本体の側壁面に箸などの食器類を未接着状態で配置して形成された被包装物の全周囲を包装フィルムで取り囲むことによって、弁当などの包装体において、箸などを外部に露出させることなく、かつ移送時などに箸などが容器から容易に離脱せず、食する時には箸などが簡単に取り外せるようにした包装体として以下の公報がある。
【００１２】
【特許文献１】実開平６−５９２５３号公報。
【発明の開示】
【発明が解決しようとする課題】
【００１３】
本発明は以上のような諸問題に鑑みなされたもので、その目的とするところは、飲食物容器に飲食用具包装体を確実に固定するとともに、飲食物容器の蓋体に相対する方向から飲食物容器に飲食用具包装体が取り付けられたかを目視確認することができ、さらに、飲食物容器から飲食用具包装体を容易に取り外すことができる飲食物容器用ラベルを提供することを課題とする。
【課題を解決するための手段】
【００１４】
本発明は上記課題を解決すべく、以下に掲げる構成とした。
請求項１記載の発明の要旨は、飲食物を収納した容器本体を蓋体で閉じ合わせた飲食物容器と、前記飲食物を飲食するための飲食用具を収納して包装した飲食用具包装体と、を有し、前記飲食用具包装体を部分的に前記飲食物容器へ固定するための飲食物容器用ラベルであって、前記飲食物容器用ラベルは、前記飲食物容器に貼着される飲食物容器貼着領域と、前記飲食用具包装体に貼着される飲食用具包装体貼着領域と、に区分され、前記飲食物容器貼着領域の表面には、名称、原材料名、消費期限、製造者などの前記飲食物に関連する情報を表示したことを特徴とする飲食物容器用ラベルに関する。
【００１５】
請求項２記載の発明の要旨は、前記飲食用具包装体貼着領域を部分的に貫通する切断部を設けて、この飲食用具包装体貼着領域を分離し、前記飲食物容器から前記飲食用具包装体を取り外し可能としたことを特徴とする請求項１記載の飲食物容器用ラベルに関する。
【００１６】
請求項３記載の発明の要旨は、前記飲食物容器貼着領域の裏面の一端部に非接着部を設けて、この非接着部を剥がし代として、前記飲食物容器から前記飲食物容器貼着領域を剥離し、前記飲食物容器から前記飲食用具包装体を取り外し可能としたことを特徴とする請求項１記載の飲食物容器用ラベルに関する。
【発明の効果】
【００１７】
本発明は、飲食物を収納した容器本体を蓋体で閉じ合わせた飲食物容器と、前記飲食物を飲食するための飲食用具を収納して包装した飲食用具包装体と、を有し、前記飲食用具包装体を部分的に前記飲食物容器へ固定するための飲食物容器用ラベルであって、前記飲食物容器用ラベルは、前記飲食物容器に貼着される飲食物容器貼着領域と、前記飲食用具包装体に貼着される飲食用具包装体貼着領域と、に区分され、前記飲食物容器貼着領域の表面には、名称、原材料名、消費期限、製造者などの前記飲食物に関連する情報を表示するようにしたので、前記飲食物容器に前記飲食用具包装体を確実に固定するとともに、前記飲食物容器の前記蓋体に相対する方向から前記飲食物容器に前記飲食用具包装体が取り付けられたかを目視確認することができる。
【００１８】
また、前記飲食用具包装体貼着領域に切断部を設けて、この飲食用具包装体貼着領域を分離するようにしたので、前記飲食物容器から前記飲食用具包装体を容易に取り外すことができる。
【００１９】
さらに、前記飲食物容器貼着領域の裏面の一端部に非接着部を設けて、この非接着部を剥がし代として、前記飲食物容器から前記飲食物容器貼着領域を剥離するようにしたので、前記飲食物容器から前記飲食用具包装体を容易に取り外すことができる。
【発明を実施するための最良の形態】
【００２０】
本発明にかかる飲食物容器用ラベルについて、図１乃至図４を用いて説明する。なお、先述した図５、図６と同様の部分には同一符号を付し、その詳述はこれを省略する。まず、本発明にかかる飲食物容器用ラベルの第１の実施の形態について説明する。図１は、本発明にかかる飲食物容器用ラベルの使用状態を示す説明図であり、図２は、本発明にかかる飲食物容器用ラベルの第１の実施の形態を説明する説明図である。
【００２１】
図１に示す飲食物容器６は、たとえば弁当など飲食物を収納した容器本体２を蓋体４で閉じ合わせてなり、飲食物容器６の蓋体４の表出する面には、飲食用具包装体８が飲食物容器用ラベル１０によって取り付けられている。  
【００２２】
飲食物容器６を構成する容器本体２および蓋体４は、ポリエチレンテレフタレート（ＰＥＴ）、ポリプロピレン（ＰＰ）、ポリ塩化ビニル（ＰＶＣ）などの、硬質または半硬質の合成樹脂加工品が用いられ、容器本体２は透明または不透明いずれであっても良いが、蓋体４は容器本体２に収納された飲食物を透視することができる透明なものが好ましい。飲食用具包装体８は、紙製のほか、ポリエチレン（ＰＥ）、ポリエチレンテレフタレート、ポリプロピレン、ポリ塩化ビニルなどの、薄い膜状の合成樹脂加工品が用いられ、箸、スプーン、フォークなどの飲食用具を収納して、密封または一部に開口部を設けて包装する。
【００２３】
図２に示す飲食物容器用ラベル１０は、飲食物容器６に貼着される飲食物容器貼着領域１２と、飲食用具包装体８に貼着される飲食用具包装体貼着領域１４と、に区分され、飲食物容器貼着領域１２の表面には、名称１６、原材料名１８、消費期限２２、製造者２４などの飲食物に関連する情報を表示している。
【００２４】
飲食物容器用ラベル１０に用いられる基材は、塗工層を形成して印刷および印字効果を高めたコート紙やアート紙などの紙、ポリプロピレンやポリエチレンテレフタレートなどのフィルム、ポリプロピレンやポリエチレンなどに充填材を加えて紙のような繊維状に加工した合成紙、これらの単体や積層体や複合材を用いることができ、これら基材の上に感熱発色層を塗工した感熱基材を用いても良い。
【００２５】
特に、紙やフィルムや合成紙に対してインクリボンを用いて印字する熱転写方式に比べ、感熱基材を用いる感熱方式はサーマルヘッドを感熱基材に接触かつ発熱させて印字することから、インクリボンが不要でプリンタも安価であるため、ラベルを大量に印字発行する食品分野に適している。
【００２６】
このような感熱基材を用いる際には、電子レンジで加熱してもラベルが黒く発色しない耐熱性、フィルムラップに含まれる可塑剤が印字の消色要因となるため印字が消色しない耐可塑性、水分が印字の消色および破れの要因となるため印字が消色せず破れない耐水性を備えたものを用いることが好ましい。
【００２７】
また、飲食物容器用ラベル１０は、表出している一方の面（表面）には飲食物に関連する情報などが表示されるとともに、他方の面（裏面）には飲食物容器６または飲食用具包装体８に貼着するための粘着剤が塗布されている。
【００２８】
粘着剤は、種類別にはゴム系粘着剤、アクリル系粘着剤、シリコーン系粘着剤などがあり、さらに、形態別には、水の中に樹脂を微粒子にして重合したエマルジョン型粘着剤、有機溶剤を使用した溶剤型粘着剤、通常は固体であり熱で溶かして使うホットメルト型粘着剤等がある。この中から任意の組合せの粘着剤を用いることができ、たとえば、アクリル系粘着剤と有機溶剤とを混合したアクリル系溶剤型粘着剤などが使用される。また、粘着剤の強さは、一度貼着した後は剥離する必要のない用途に使用される強さ（ＪＩＳ  Ｚ  ０２３７ １８０°引きはがし法で７００ｇ／２５ｍｍ以上）の一般糊、強粘、超強粘などと呼ばれる強さが一般的に用いられる。
【００２９】
先述したとおり、弁当などの飲食物を収納した飲食物容器６には、消費者が購入するときに飲食物の内容を理解し、適正に飲食物を選択するための情報源として、表示ラベルが貼着される。弁当などの飲食物は、購入時に構成原材料の内容を外部から確認して購入する飲食物であり、その商品の特性上、商品を裏返して表示内容を確認することが困難な食品であることから、飲食物容器６の蓋体４に相対する方向から表示された情報を目視確認することができるように、飲食物容器６の蓋体４の表出する面に表示ラベルが貼着されるものである。
【００３０】
本発明にかかる飲食物容器用ラベル１０も、その表面に、名称１６、原材料名１８、消費期限２２、製造者２４などの飲食物容器６に収納される飲食物に関連する情報を表示するようにしたので、飲食物容器６の蓋体４の表出する面に貼着されるものである。
【００３１】
このように本発明にかかる飲食物容器用ラベルの第１実施の形態は、飲食物容器用ラベル１０の裏面に、たとえば、一般糊、強粘、超強粘などと呼ばれる強さの粘着剤が塗布されているので、飲食物容器貼着領域１２に塗布されている粘着剤によって飲食物容器６に貼着され、飲食用具包装体貼着領域１４に塗布されている粘着剤によって飲食用具包装体８に貼着されるので、飲食物容器６に飲食用具包装体８を確実に固定することができる。
【００３２】
また、飲食物容器用ラベル１０の表面には、名称１６、原材料名１８、消費期限２２、製造者２４などの飲食物容器６に収納される飲食物に関連する情報を表示するようにしたので、飲食物容器６の蓋体４に相対する方向から、飲食物に関連する情報を確認することができるとともに、飲食物容器６に飲食用具包装体８が取り付けられたかを目視確認することができる。
【００３３】
次に、本発明にかかる飲食物容器用ラベルの第２実施の形態について、図３を用いて説明する。図３は、本発明にかかる飲食物容器用ラベルの第２実施の形態を説明する説明図である。
【００３４】
図３に示す本発明にかかる飲食物容器用ラベル３０は、先述の図２に示した飲食物容器ラベル１０と比較して、飲食用具包装体貼着領域１４の表面に、飲食用具包装体８を取り外すための注意書き２０が表示され、この飲食用具包装体貼着領域１４を部分的に貫通する切断部３２を設けて、飲食物容器６から飲食用具包装体８を取り外し可能としたもので、その他の構成は同一である。
【００３５】
切断部３２は、飲食用具包装体貼着領域１４の領域内に設けられ、たとえば、飲食用具包装体８に対して平行的に飲食用具包装体貼着領域１４の両端間にわたって形成され、この飲食用具包装体貼着領域１４を貫通する切れ部と、非切れ部と、が交互に設けられたミシン目などを用いることができる。このミシン目の切れ部と非切れ部との形状に関しては、飲食用具包装体貼着領域１４をスムーズに分離できるよう、切れ部に対して非切れ部が少ない比率で設けることが好ましい。
【００３６】
この切断部３２は、飲食用具包装体８に対して平行的に飲食用具包装体貼着領域１４の両端間にわたって、少なくとも１つ以上形成されていれば良く、その数は特に限定しないが、たとえば、飲食用具包装体８の中に収納されている飲食用具の幅よりも狭い幅で多数形成することによって、飲食用具包装体８の中に収納されている飲食用具の位置に関わらず、容易に飲食用具包装体貼着領域１４を分離することができる。
【００３７】
また、一般的にミシン目などは設けられていることが判別しにくいことから、切断部３２の形成予定部分にあらかじめミシン目形状などの印刷を施しておくこともできる。このように、切断部３２の形成予定部分に印刷を施しておくことで、切断部３２が設けられていること、および、その位置を明確に表示することができる。
【００３８】
本発明にかかる飲食物容器用ラベルの第２実施の形態において、飲食物容器６から飲食用具包装体８を取り外すには、この飲食用具包装体８の一方の端部を飲食物容器６から引き離すように持ち上げることによって、飲食用具包装体貼着領域１４の領域内に設けられた切断部３２が、飲食用具包装体８の一方の端部側から他方の端部側へ順次分離され、飲食用具包装体貼着領域１４の両端間を完全に分離することで、飲食用具包装体８を飲食物容器６から取り外すことができる。
【００３９】
このように本発明にかかる飲食物容器用ラベルの第２実施の形態は、飲食用具包装体貼着領域１４を部分的に貫通する切断部３２を設けて、この飲食用具包装体貼着領域１４を分離し、飲食物容器６から飲食用具包装体８を容易に取り外すことができる。
【００４０】
次に、本発明にかかる飲食物容器用ラベルの第３実施の形態について、図４を用いて説明する。図４は、本発明にかかる飲食物容器用ラベルの第３実施の形態を説明する説明図である。
【００４１】
図４に示す本発明にかかる飲食物容器用ラベル４０は、先述の図２に示した飲食物容器ラベル１０と比較して、飲食用具包装体貼着領域１４の表面に、飲食用具包装体８を取り外すための注意書き２０が表示され、飲食物容器貼着領域１２の裏面の一端部に非接着部４２を設けて、この非接着部４２を剥がし代４４として、飲食物容器６から飲食物容器貼着領域１２を剥離し、飲食物容器６から飲食用具包装体８を取り外し可能としたもので、その他の構成は同一である。
【００４２】
非接着部４２は、飲食物容器貼着領域１２の裏面の一端部に設けられるが、図４のように飲食物容器用ラベル４０が矩形の場合には、その周縁部のうち四隅のいずれかに設けると剥離がしやすくなるので好ましい。この非接着部４２は、飲食物容器用ラベル４０の裏面に塗布された粘着剤面に印刷インキまたはニスなどを印刷して形成されるもので、この印刷された部分は粘着剤の粘着力が封じられて非接着部分となる。
【００４３】
また、非接着部４２を形成する印刷インキまたはニスなどには、粘着剤の粘着力をより強く封じるために、剥離性を有するシリコーンを適宜の割合で混合したものを使用することができる。さらに、非接着部４２を形成する印刷インキまたはニスなどには、非接着部分と粘着剤部分とを明確にするために、任意色のインキを添加して着色することができる。同様に、非接着部４２に対応する飲食物容器貼着領域１２の表面には、矢印や任意の色などを印刷して、剥がし代４４であることを際立たせるようにしても良い。
【００４４】
飲食物容器用ラベル４０は、一度飲食物容器６へ貼着した後、部分的に剥がすものであるため、そのラベル基材としては紙以外の破れにくいものが好ましく、先述したラベル基材の中でも様々な用途に合致した感熱層を備えている合成紙を用いることが好ましい。
【００４５】
本発明にかかる飲食物容器用ラベルの第３実施の形態において、飲食物容器６から飲食用具包装体８を取り外すには、飲食物貼着領域１２の裏面の一端部に設けられた非接着部４２を剥がし代４４として、飲食物容器６から飲食物容器貼着領域１２を剥離すると、飲食用具包装体８は飲食物容器６からの固定状態が開放されて浮動状態となるので、飲食用具包装体貼着領域１４から飲食用具包装体８を剥離して取り外せば良い。
【００４６】
このように本発明にかかる飲食物容器用ラベルの第３実施の形態は、飲食物容器貼着領域１２の裏面の一端部に非接着部４２を設けて、この非接着部４２を剥がし代４４として、飲食物容器６から飲食物容器貼着領域１２を剥離するようにしたので、飲食物容器６から飲食用具包装体８を容易に取り外すことができる。
【００４７】
なお、本発明にかかる飲食物容器用ラベルの第３実施の形態では、飲食容器用ラベル４０の裏面に塗布された粘着剤の一端部に非接着部４２を設けて、飲食容器６から飲食容器用ラベル４０を剥離する例について説明したが、飲食容器用ラベル４０の裏面に塗布される粘着剤として、一度貼着した後に剥離することができる再剥離性粘着剤を用いることでも同様に使用することができる。
【００４８】
このような再剥離性粘着剤としては、微球状タイプの粘着剤があり、詳しくは、各種モノマーを油溶性触媒の存在下で水中にて重合した粘着性とクッション性を有する微球体と、一般的なアクリル系エマルジョン型粘着剤など、を混合して微球状タイプの再剥離性粘着剤とすることができ、被着体への貼着および剥離を繰り返し行うことができる。
【００４９】
よって、このような再剥離性粘着剤を用いると、まず、飲食物容器６から飲食物容器用ラベル４０を任意の周縁部から容易に剥離することができ、そして、飲食物容器用ラベル４０から飲食用具包装体８を容易に取り外すことができ、さらに、一度剥離した飲食物容器用ラベル４０を飲食容器６へ再貼着することができる。
【００５０】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。  
【図面の簡単な説明】
【００５１】
【図１】本発明にかかる飲食物容器用ラベルの使用状態を示す説明図である。
【図２】本発明にかかる飲食物容器用ラベルの第１の実施の形態を説明する説明図である。
【図３】本発明にかかる飲食物容器用ラベルの第２の実施の形態を説明する説明図である。
【図４】本発明にかかる飲食物容器用ラベルの第３の実施の形態を説明する説明図である。
【図５】従来の方法によって飲食物容器へ飲食用具包装体を取り付けた一例を示す図である。
【図６】従来の方法によって飲食物容器へ飲食用具包装体を取り付けたその他の例を示す図である。
【符号の説明】
【００５２】
２  容器本体
４  蓋体
６  飲食物容器
８  飲食用具包装体
１０、３０、４０  飲食物容器用ラベル
１２  飲食物容器貼着領域
１４  飲食用具包装体貼着領域
１６  名称
１８  原材料名
２０  注意書き
２２  消費期限
２４  製造者
３２  切断部
４２  非接着部
４４  剥がし代
５０  表示ラベル
５２  固定用テープ
５４  紐体
【図１】
2006282214.tif 000003
【図２】
2006282214.tif 000004
【図３】
2006282214.tif 000005
【図４】
2006282214.tif 000006
【図５】
2006282214.tif 000007
【図６】
2006282214.tif 000008